(57)【特許請求の範囲】
【請求項１】
所定長のメインラベルを、被貼着体の胴部外周面に貼着するメインラベラーと、
前記メインラベルの表面にサブラベルを貼着するサブラベラーとを備え、
前記メインラベラーは、
前記メインラベルの表面側を外周面に吸引保持した状態で自転することによって、前記メインラベルを貼着位置まで搬送し、前記貼着位置に搬送されてくる被貼着体の胴部外周面に接触させることにより、前記メインラベルを前記被貼着体に巻き付けながら貼着する貼着ドラムと、
送給される長尺帯状のメインラベル形成基材を順次切断することで個別のメインラベルを形成し、そのメインラベルを、直接的または間接的に前記貼着ドラムに順次引き渡す切断搬送手段と
を備え、
前記サブラベラーは、前記切断搬送手段への前記メインラベル形成基材の送給途中で、前記メインラベル形成基材の所定位置に前記サブラベルを貼着するようになっており、
前記メインラベラーは、表面側の所定位置に前記サブラベルが貼着された前記メインラベルを前記被貼着体に貼着するようになっていることを特徴とするラベル貼着システム。
【請求項２】
所定長のメインラベルを、被貼着体の胴部外周面に貼着するメインラベラーと、
前記メインラベルの表面にサブラベルを貼着するサブラベラーとを備え、
前記メインラベラーは、
前記メインラベルの表面側を外周面に吸引保持した状態で自転することによって、前記メインラベルを貼着位置まで搬送し、前記貼着位置に搬送されてくる被貼着体の胴部外周面に接触させることにより、前記メインラベルを前記被貼着体に巻き付けながら貼着する貼着ドラムと、
前記メインラベルの裏面側を外周面に吸引保持した状態で自転することによって、前記メインラベルを前記貼着ドラムへの引渡位置まで搬送する搬送ドラムとを備え、
前記サブラベラーは、前記搬送ドラムによる前記メインラベルの搬送途中で、前記メインラベルの所定位置に前記サブラベルを貼着するようになっており、
前記メインラベラーは、表面側の所定位置に前記サブラベルが貼着された前記メインラベルを前記被貼着体に貼着するようになっていることを特徴とするラベル貼着システム。
【請求項３】
前記メインラベラーは、前記サブラベラーによる前記メインラベルに対する前記サブラベルの貼着時点において、前記搬送ドラムの外周面に対する前記メインラベルの保持力を増強する保持力増強手段を備えていることを特徴とする請求項２に記載のラベル貼着システム。
【発明の詳細な説明】
【０００１】
【発明の属する技術分野】
この発明は、グルーラベルや感熱接着性ラベル等からなるメインラベルとタックラベル等からなるサブラベルとを被貼着体に貼着するためのラベル貼着システムに関する。
【０００２】
【従来の技術】
例えば、栄養補給ドリンク等のように、瓶容器等に充填された容器入り液体商品（以下、液体商品という）では、図８に示すように、その瓶容器Ｂの胴部外周面に商品名、効能、成分等が表示されたグルーラベルや感熱接着性ラベル等からなるメインラベルＭＬを巻き付けるように貼着しているが、販売促進効果を高めるために、「ＰＯＰラベル」と呼ばれる、キャッチフレーズ等が表示された小さいタックラベルを、サブラベルＳＬとして瓶容器Ｂに別途貼着する場合がある。
【０００３】
ところで、こういった栄養補給ドリンク等の液体商品ＬＧを店頭で陳列する際は、通常、その正面側、即ち、商品名や特徴的なデザイン等が大きく表示されているメインラベルＭＬの中央部分が前面側を向くように、陳列棚に並べられるので、ＰＯＰラベルのような小さいサブラベルＳＬを瓶容器Ｂに貼着する場合は、メインラベルＭＬの中央部付近に貼着しなければ、販売促進効果が発揮されない。
【０００４】
従って、メインラベルＭＬに加えて、サブラベルＳＬを瓶容器Ｂ等に貼着することができるラベル貼着システムでは、図９に示すように、グルーラベラーや感熱ラベラー等のメインラベラー５１によって、瓶容器Ｂ等の胴部外周面にメインラベルＭＬが貼着された液体商品ＬＧの搬送ライン５２の下流側に、メインラベルＭＬの中央部が一定の方向を向くように、液体商品ＬＧを周方向に位置合わせする位置合せ装置５３と、サブラベルＳＬを貼着するためのタックラベラー等のサブラベラー５４を順次設置し、位置合せ装置５３によって周方向に位置合わせされた状態で搬送ライン５２上を順次搬送されてくる液体商品ＬＧに対して、サブラベラー５４によって、メインラベルＭＬの中央部付近にサブラベルＳＬを貼着するようになっている。
【０００５】
【発明が解決しようとする課題】
しかしながら、上述したように、液体商品ＬＧの搬送ライン５２の途中に、液体商品ＬＧの位置合せ装置５３やサブラベラー５４を設置すると、ラベル貼着システム全体が大型化するといった問題があると共に、常時、行われるわけではないサブラベルＳＬの貼着工程のためだけに、サブラベラー５４以外に位置合せ装置５３を設置しなければならないので、ラベル貼着システム全体の設備コストが高くなるといった問題もある。
【０００６】
また、液体商品の瓶容器等にメインラベルのみを貼着するために設置された既設のラベル貼着システムを利用して、上述したようなサブラベルの貼着を行おうとすると、既設のラベル貼着システムにおける液体商品の搬送ライン上に、上述したような位置合せ装置やサブラベラーを設置しなければならないが、これらの装置を設置するためのスペースを確保することができない場合が多く、既設のラベル貼着システムを利用してサブラベルの貼着を行うことは事実上難しいといった問題がある。
【０００７】
そこで、この発明の課題は、最小限の設置スペース及び設備コストで、メインラベルとサブラベルといった２種類のラベルを被貼着体の所定の位置に確実に貼着することができるラベル貼着システムを提供することにある。
【０００８】
【課題を解決するための手段及びその効果】
上記の課題を解決するため、請求項１にかかる発明は、所定長のメインラベルを、被貼着体の胴部外周面に貼着するメインラベラーと、前記メインラベルの表面にサブラベルを貼着するサブラベラーとを備え、前記メインラベラーは、前記メインラベルの表面側を外周面に吸引保持した状態で自転することによって、前記メインラベルを貼着位置まで搬送し、前記貼着位置に搬送されてくる被貼着体の胴部外周面に接触させることにより、前記メインラベルを前記被貼着体に巻き付けながら貼着する貼着ドラムと、送給される長尺帯状のメインラベル形成基材を順次切断することで個別のメインラベルを形成し、そのメインラベルを、直接的または間接的に前記貼着ドラムに順次引き渡す切断搬送手段とを備え、前記サブラベラーは、前記切断搬送手段への前記メインラベル形成基材の送給途中で、前記メインラベル形成基材の所定位置に前記サブラベルを貼着するようになっており、前記メインラベラーは、表面側の所定位置に前記サブラベルが貼着された前記メインラベルを前記被貼着体に貼着するようになっていることを特徴とするラベル貼着システムを提供するものである。
【０００９】
以上のように、このラベル貼着システムでは、被貼着体にグルーラベルや感熱接着性ラベル等のメインラベルを貼着するメインラベラーの切断搬送手段へのメインラベル形成基材の送給途中で、メインラベル形成基材の所定位置にサブラベルを貼着するようにしたため、メインラベルを被貼着体に貼着するだけでよく、一旦メインラベルを被貼着体に貼着した後にサブラベルを別途被貼着体に貼着する従来のラベル貼着システムのように、被貼着体の搬送ラインの途中に被貼着体の位置合わせ装置を設置する必要がないので、ラベル貼着システムの設備コストを削減することができると共に設置スペースを最小限に抑えることができる。
【００１０】
また、上記の課題を解決するため、請求項２にかかる発明は、所定長のメインラベルを、被貼着体の胴部外周面に貼着するメインラベラーと、前記メインラベルの表面にサブラベルを貼着するサブラベラーとを備え、前記メインラベラーは、前記メインラベルの表面側を外周面に吸引保持した状態で自転することによって、前記メインラベルを貼着位置まで搬送し、前記貼着位置に搬送されてくる被貼着体の胴部外周面に接触させることにより、前記メインラベルを前記被貼着体に巻き付けながら貼着する貼着ドラムと、前記メインラベルの裏面側を外周面に吸引保持した状態で自転することによって、前記メインラベルを前記貼着ドラムへの引渡位置まで搬送する搬送ドラムとを備え、前記サブラベラーは、前記搬送ドラムによる前記メインラベルの搬送途中で、前記メインラベルの所定位置に前記サブラベルを貼着するようになっており、前記メインラベラーは、表面側の所定位置に前記サブラベルが貼着された前記メインラベルを前記被貼着体に貼着するようになっていることを特徴とするラベル貼着システムを提供するものである。
【００１１】
以上のように、このラベル貼着システムでは、被貼着体にグルーラベルや感熱接着性ラベル等のメインラベルを貼着するメインラベラーの搬送ドラムによるメインラベルの搬送途中で、メインラベルの所定位置にサブラベルを貼着するようにしたため、メインラベルを被貼着体に貼着するだけでよく、一旦メインラベルを被貼着体に貼着した後にサブラベルを別途被貼着体に貼着する従来のラベル貼着システムのように、被貼着体の搬送ラインの途中に被貼着体の位置合わせ装置を設置する必要がないので、ラベル貼着システムの設備コストを削減することができると共に設置スペースを最小限に抑えることができる。
【００１２】
特に、グルーラベラーや感熱ラベラー等からなるメインラベラーには、メインラベルを貼着ドラムまで搬送すると共にメインラベルに使用期限や製造番号等の所定の情報を印字等するために、通常、ラベル表面を外側に向けた状態で外周面に吸引保持しながらメインラベルを搬送する搬送ドラムが設けられており、この搬送ドラムによるメインラベルの搬送途中に設けた印字装置によってメインラベルに所定の情報を印字するようになっているので、サブラベルを貼着するためだけに別途搬送ドラムを設ける必要もない。
【００１３】
また、搬送ドラムによるメインラベルの搬送段階では、基本的にメインラベルが所定の搬送姿勢に保たれたまま、一定周期でサブラベルの貼着位置を通過することになるので、特別な位置合わせ装置等を設置する必要がなく、タックラベラー等からなるサブラベラーが、一般的に採用されているラベルの貼着タイミング制御を行うだけで、メインラベルの所定位置に確実にサブラベルを貼着することができる。
【００１４】
ただし、メインラベルにサブラベルを貼着する際、メインラベルに衝撃力が加わる可能性があり、搬送ドラムの外周面に吸引保持されているメインラベルが位置ずれするおそれがある。そこで、請求項３にかかる発明のラベル貼着システムのように、前記サブラベラーによる前記メインラベルに対する前記サブラベルの貼着時点において、前記搬送ドラムの外周面に対する前記メインラベルの保持力を増強する保持力増強手段を前記メインラベラーに設ける構成を採用することが望ましい。
【００１５】
【発明の実施の形態】
以下、実施の形態について図面を参照して説明する。図１は、瓶容器に充填された液体商品に対して、図５（ａ）、（ｂ）及び図６（ａ）、（ｂ）に示すように、商品名、成分等が表示されたメインラベルＭＬと、ＰＯＰラベルと呼ばれる販売促進用の小さなサブラベルＳＬといった２種類のラベルを貼着するためのラベル貼着システムを示している。
【００１６】
前記メインラベルＭＬは、その裏面全面に熱接着性樹脂層が形成された感熱接着性ラベルであり、図５（ａ）、（ｂ）に示すように、液体商品ＬＧの瓶容器Ｂの胴部外周面に巻き付けるように貼着されている。
【００１７】
前記サブラベルＳＬは、図６（ｂ）に示すように、その裏面における下部側に粘着剤層が形成された透明な貼着部ｃを有しており、図５（ａ）に示すように、この貼着部ｃを介して、メインラベルＭＬにおける長手方向の中央部に、その上縁から上方側に張り出すように貼着されている。従って、メインラベルＭＬに貼着されたサブラベルＳＬは、メインラベルＭＬから張り出した部分が瓶容器Ｂの外周面に貼着されることはなく、また、メインラベルＭＬの表面に貼着されている貼着部ｃを通して、メインラベルＭＬの表面を認識することができるようになっている。
【００１８】
前記ラベル貼着システム１は、図１に示すように、メインラベルＭＬを液体商品ＬＧの瓶容器Ｂに貼着するためのメインラベラー１０と、液体商品ＬＧをメインラベル貼着位置δを通過するように搬送する商品搬送手段３０と、メインラベルＭＬを液体商品ＬＧの瓶容器Ｂに貼着する前に、サブラベルＳＬをメインラベルＭＬに貼着するためのサブラベラー４０とを備えている。
【００１９】
前記メインラベラー１０は、図１に示すように、ロール状に巻回された長尺のメインラベル形成基材ＭＭを切断位置αに連続的に供給する一対の送給ローラ１１と、この送給ローラ１１によって供給されるメインラベル形成基材ＭＭを第１受渡位置βに搬送しながら、切断位置αにおいて所定のカットピッチで順次切断することによってメインラベルＭＬを形成する、固定刃及び回転刃からなる切断搬送手段１２と、メインラベル貼着位置δに搬送されてくる液体商品ＬＧにおける瓶容器Ｂの胴部外周面にメインラベルＭＬを貼着するラベル貼着手段１３と、前記切断搬送手段１２によってメインラベル形成基材ＭＭから切断されたメインラベルＭＬを、第１受渡位置βにおいて受け取って、第２受渡位置γにおいてラベル貼着手段１３に引き渡すラベル受渡手段１７とから構成されている。
【００２０】
前記ラベル貼着手段１３は、同図に示すように、第２受渡位置γにおいて、ラベル受渡手段１７から受け渡されるメインラベルＭＬを、その裏面が外側に向くように、外周面に吸引保持する貼着ドラム１４と、この貼着ドラム１４にメインラベルＭＬを吸引保持する前に貼着ドラム１４の外周面を予備的に加熱する赤外線ヒータ１５（例えば、ハロゲンランプを使用した近赤外線ヒータ）と、貼着ドラム１４に吸引保持されたメインラベルＭＬを加熱する赤外線ヒータ１６とを備えており、前記貼着ドラム１４の外周面に吸引保持されたメインラベルＭＬを、貼着ドラム１４が自転することによってメインラベル貼着位置δまで搬送し、メインラベル貼着位置δにおいて、前記商品搬送手段３０によって搬送されてくる液体商品ＬＧにおける瓶容器Ｂの胴部外周面に、メインラベルＭＬの貼着面を接触させることにより、瓶容器Ｂの胴部にメインラベルＭＬを巻き付けながら貼着するようになっている。なお、貼着ドラム１４に吸引保持されたメインラベルＭＬは、搬送途中で赤外線ヒータ１６によって加熱され、メインラベル貼着位置δに至るまでの間に接着可能な状態となる。
【００２１】
前記ラベル受渡手段１７は、第１受渡位置βにおいて、切断搬送手段１２から引き渡されるメインラベルＭＬを、その表面が外側に向くように、外周面に吸引保持する搬送ドラム１８と、搬送ドラム１８の外周面に吸引保持されたメインラベルＭＬの表面に、使用期限や製造番号等の所定の情報を印字する印字装置１９とを備えており、搬送ドラム１８が自転することによって、その外周面に吸引保持されたメインラベルＭＬが第２受渡位置γまで搬送され、その搬送途中において、所定の情報が印字装置１９によってメインラベルＭＬの表面に印字されるようになっている。
【００２２】
前記商品搬送手段３０は、図示しないベルトコンベア等によって搬送されてくる複数の液体商品ＬＧを、所定の間隔を開けてメインラベル貼着位置δに順次供給するスターホイール３２、スクリューコンベア３３及びスターホイール３４からなる商品供給部３１と、メインラベル貼着位置δに供給された液体商品ＬＧを貼着ドラム１４の外周面に接触させ、貼着ドラム１４の回転力によって自転させながら送り出すように、液体商品ＬＧを貼着ドラム１４の外周面に沿って案内するガイド体３５と、メインラベル貼着位置δから送り出された液体商品ＬＧを搬出するベルトコンベア等からなる商品排出部３６とから構成されており、液体商品ＬＧがメインラベル貼着位置δにおいて貼着ドラム１４に接触しながら自転することで、貼着ドラム１４の外周面に吸引保持されたメインラベルＭＬが液体商品ＬＧにおける瓶容器Ｂの胴部外周面に巻き付きながら貼着されるようになっている。
【００２３】
前記サブラベラー４０は、離型紙に貼着された状態で予め個別のサブラベルＳＬが打ち抜かれた長尺のサブラベル形成基材ＳＭを、ラベル受渡手段１７を構成している搬送ドラム１８の外周面における第１受渡位置βと印字装置１９との間に設定されたサブラベル貼着位置ωの近傍に間欠的に送給し、このサブラベル貼着位置ωの近傍において、サブラベル形成基材ＳＭをピールプレートによって鋭角に反転させることで、サブラベル形成基材ＳＭの離型紙から個別のサブラベルＳＬを順次剥離しながら、搬送ドラム１８の外周面に吸引保持された状態で、サブラベル貼着位置ωを通過するメインラベルＭＬに順次貼着するようにした通常のタックラベラーであり、長尺のサブラベル形成基材ＳＭは、ロール状に巻回された基材ロールＭＲから繰り出され、個別のサブラベルＳＬが剥離された後のサブラベル形成基材ＳＭは、廃棄ロールＥＲとして巻取リールに巻き取られるようになっている。
【００２４】
また、搬送ドラム１８によるメインラベルＭＬの搬送経路には、サブラベル貼着位置ωの手前側に、メインラベルＭＬを検出するラベル検出センサ（図示せず）が設けられており、このラベル検出センサから出力されるラベル検出信号をサブラベラー４０が受信した後、所定時間が経過した時点で、サブラベラー４０がサブラベル形成基材ＳＭを所定長さだけ間欠的に送給することにより、メインラベルＭＬの所定位置にサブラベルＳＬが確実に貼着されるようになっている。従って、ラベル検出信号の受信後における、サブラベラー４０によるサブラベル形成基材ＳＬの送給タイミングを適宜調整することによって、メインラベルＭＬにおける長手方向の任意の位置にサブラベルＳＬを貼着することができる。
【００２５】
また、メインラベラー１０を構成しているラベル受渡手段１７には、図２〜図４に示すように、サブラベラー４０がサブラベルＳＬをメインラベルＭＬに貼着する時点で、搬送ドラム１８の外周面に吸引保持されているメインラベルＭＬの保持力を増強する保持力増強手段２０が設けられている。
【００２６】
前記保持力増強手段２０は、サブラベル貼着位置ωにおいて、メインラベルＭＬの下部を搬送ドラム１８の外周面との間に挟み込む挟持ローラ２１と、この挟持ローラ２１を、搬送ドラム１８の周速と同一の周速で、搬送ドラム１８とは逆方向に回転させる回転駆動機構２２とから構成されており、挟持ローラ２１は、メインラベルＭＬを挟み込む挟持面がゴム材料によって形成されている。なお、挟持ローラ２１の挟持面は、合成樹脂材料や金属材料によって形成することも可能である。
【００２７】
前記回転駆動機構２２は、軸受を介して支持され、図示しない駆動源及び動力伝達機構を介して回転駆動される搬送ドラム１８の回転軸１８ａと、軸受を介して回転可能に支持された中継軸２３とにそれぞれ取り付けられた、相互に歯合する同径の平歯車２４、２５と、軸受を介して支持された挟持ローラ２１の回転軸２６及び中継軸２３にそれぞれ取り付けられた大径のタイミングプーリ２７及び小径のタイミングプーリ２８と、これらのタイミングプーリ２７、２８に掛け渡されたタイミングベルト２９とから構成されており、搬送ドラム１８と挟持ローラ２１とが、機械的に同期が取られた状態で、同一の駆動源によって回転駆動されるようになっている。
【００２８】
従って、搬送ドラム１８の外周面に吸引保持された状態で第１受渡位置βから第２受渡位置γまで搬送されるメインラベルＭＬが、サブラベル貼着位置ωを通過する際は、挟持ローラ２１がメインラベルＭＬを搬送ドラム１８の外周面との間に挟み込んだ状態で搬送ドラム１８と協働して第２受渡位置γ側に送り出すことになるので、搬送ドラム１８の外周面に対するメインラベルＭＬの保持力が増強され、サブラベラー４０がサブラベルＳＬをメインラベルＭＬに貼着する際、メインラベルＭＬに衝撃等が加わったとしても、その衝撃等に伴って発生する、搬送ドラム１８の周方向や上下方向へのメインラベルＭＬの位置ずれを確実に阻止することができる。特に、上述したように、サブラベルＳＬをメインラベルＭＬの上部に貼着する場合は、メインラベルＭＬが位置ずれし易いので、そのような場合に、特に有効である。
【００２９】
以上のように、このラベル貼着システム１では、メインラベラー１０における搬送ドラム１８によるメインラベルＭＬの搬送途中で、サブラベラー４０がメインラベルＭＬの所定位置にサブラベルＳＬを貼着するようにしたため、メインラベルＭＬを液体商品ＬＧ（瓶容器Ｂ）に貼着するだけでよく、一旦メインラベルを液体商品（瓶容器）に貼着した後にサブラベルを別途液体商品（瓶容器）に貼着する従来のラベル貼着システムのように、液体商品の搬送ラインの途中に、メインラベルが貼着された液体商品の位置合わせ装置を設置する必要がないので、設備コストを削減することができると共に設置スペースを最小限に抑えることができる。
【００３０】
また、搬送ドラム１８によるメインラベルＭＬの搬送段階では、基本的にメインラベルＭＬが所定の搬送姿勢に保たれたまま、一定周期でサブラベル貼着位置ωを通過することになるので、搬送ドラム１８の外周面に吸引保持された状態でサブラベル貼着位置ωを通過するメインラベルＭＬの通過タイミングにあわせてサブラベラー４０によるサブラベル形成基材ＳＭの間欠送り制御を行うだけで、サブラベルＳＬをメインラベルＭＬの所定位置に確実に貼着することができる。
【００３１】
なお、上述した実施形態では、搬送ドラム１８の回転駆動力を、回転駆動機構２２を介して挟持ローラ２１に伝達することによって、機械的に同期をとりながら、搬送ドラム１８と挟持ローラ２１とを共通の駆動源によって回転駆動させるようにしているが、これに限定されるものではなく、例えば、図７（ａ）、（ｂ）に示すように、搬送ドラム１８の回転駆動と電気的に同期がとられた、搬送ドラム１８の駆動源とは独立したサーボモータ２２Ａによって挟持ローラ２１を駆動することも可能である。
【００３２】
また、上述した実施形態では、搬送ドラム１８の外周面に対するメインラベルＭＬの保持力を増強するために、搬送ドラム１８の外周面との間にメインラベルＭＬを挟み込む挟持ローラ２１を、搬送ドラム１８と同期をとりながら、搬送ドラム１８とは逆方向に回転させるようにしているが、搬送ドラム１８の外周面との間にメインラベルＭＬを挟み込む挟持ローラ２１は、必ずしも、自ら回転駆動する必要はなく、少なくとも、回転可能に支持されていればよい。
【００３３】
また、上述した実施形態では、メインラベルＭＬを、挟持ローラ２１によって、搬送ドラム１８の外周面との間に挟み込むことで、搬送ドラム１８の外周面に対するメインラベルＭＬの保持力を増強するようにしているが、これに限定されるものではなく、例えば、搬送ドラム１８と同期をとりながら回転駆動するベルトによって、搬送ドラム１８の外周面との間にメインラベルＭＬを挟み込んだり、サブラベル貼着位置ω付近を通過するときだけ、搬送ドラム１８の外周面にメインラベルＭＬを吸引保持するための吸引力を高めたりすることで、搬送ドラム１８の外周面に対するメインラベルＭＬの保持力を増強することも可能である。
【００３４】
また、上述した実施形態では、サブラベルＳＬをメインラベルＭＬに貼着した後に、メインラベルＭＬの表面に所定の情報を印字するようにしているが、サブラベルＳＬをメインラベルＭＬに貼着する前に印字することも可能であり、特に、印字の必要がない場合は、印字装置を設ける必要がないことはいうまでもない。
【００３５】
また、上述した実施形態では、メインラベルＭＬの所定位置にサブラベルＳＬを確実に貼着するために、メインラベルを検出するラベル検出センサを設けているが、これに限定されるものではなく、搬送ドラム１８の外周面に、位置ずれすることなくメインラベルＭＬが吸引保持されるのであれば、搬送ドラムの回転位置を検出するエンコーダからの出力信号に従って、サブラベラー４０によるサブラベル形成基材ＳＭの送給タイミングを制御することも可能である。
【００３６】
また、上述した実施形態では、搬送ドラム１８によるメインラベルＭＬの搬送途中で、サブラベルＳＬをメインラベルＭＬに貼着するようにしているが、これに限定されるものではなく、例えば、図１に一点鎖線で示すように、メインラベル形成基材ＭＭを切断位置αに連続的に供給するための送給ローラ１１の手前側に、メインラベル形成基材ＭＭを支持するガイド板ＧＰを設置し、同図に一点鎖線の矢印で示すように、このガイド板ＧＰの設置部分において、メインラベル形成基材ＭＭの所定位置に、サブラベラーを用いてサブラベルＳＬを順次貼着するようにしてもよい。
【００３７】
このように、メインラベル形成基材ＭＭにサブラベルＳＬを貼着する場合であって、メインラベルＭＬに使用期限や製造番号等の所定の情報を印字する必要がない場合は、必ずしも、搬送ドラム１８を設ける必要はなく、切断搬送手段１２から貼着ドラム１４に直接メインラベルＭＬを引き渡すようにしてもよい。
【００３８】
また、上述した実施形態では、貼着部ｃが透明なサブラベルＳＬをメインラベルＭＬに貼着するようにしているが、貼着されたサブラベルによってメインラベルの表示が隠蔽される等の問題やデザイン上の問題がないのであれば、サブラベルの貼着部は、必ずしも、透明でなくてもよい。
【００３９】
また、上述した実施形態では、メインラベルＭＬの上端縁から上方に張り出すように、サブラベルＳＬをメインラベルＭＬの表面に貼着するようにしているが、これに限定されるものではなく、メインラベルＭＬから張り出さないように、サブラベルＳＬを貼着することも可能である。
【００４０】
また、上述した実施形態では、メインラベルＭＬとして、感熱接着性ラベルを使用しているが、これに限定されるものではなく、メインラベルＭＬとして、グルーラベルを使用することも可能である。ただし、その場合は、赤外線ヒータ１５、１６等の加熱手段に代えて、第２受渡位置γとメインラベル貼着位置δとの間において、貼着ドラム１４の周囲に糊付け装置を設置しなければならないことはいうまでもない。
【００４１】
また、上述した実施形態では、栄養補給ドリンク等の液体商品ＬＧにメインラベルＭＬとサブラベルＳＬとを貼着する場合について説明したが、これに限定されるものではなく、本発明のラベル貼着システムは、種々の被貼着体に２種類のラベルを貼着する場合に適用することができることはいうまでもない。
【図面の簡単な説明】
【図１】この発明にかかるラベル貼着システムの一実施形態を示す概略平面図である。
【図２】同上のラベル貼着システムを構成しているメインラベラーに設けられた保持力増強手段を示す平面図である。
【図３】同上の保持力増強手段を示す正面図である。
【図４】同上の保持力増強手段を示す側面図である。
【図５】（ａ）は同上のラベル貼着システムによってメインラベル及びサブラベルが貼着された飲料商品を正面側から視た斜視図、（ｂ）は同上の飲料商品を背面側から視た斜視図である。
【図６】（ａ）は同上のメインラベルを示す平面図、（ｂ）は同上のサブラベルを示す平面図である。
【図７】（ａ）は他の実施形態であるラベル貼着システムを構成しているメインラベラーに設けられた保持力増強手段を示す正面図、（ｂ）は同上の保持力増強手段を示す側面図である。
【図８】瓶容器にメインラベル及びサブラベルが貼着されている液体商品を示す斜視図である。
【図９】メインラベル及びサブラベルといった２種類のラベルを貼着することができる従来のラベル貼着システムを示す概略構成図である。
【符号の説明】
１  ラベル貼着システム
１０  メインラベラー
１１  送給ローラ
１２  切断搬送手段
１３  ラベル貼着手段
１４  貼着ドラム
１７  ラベル受渡手段
１８  搬送ドラム
１９  印字装置
２０  保持力増強手段
２１  挟持ローラ
２２  回転駆動機構
２２Ａ  サーボモータ
２３  中継軸
２４、２５  平歯車
２６  回転軸
２７、２８  タイミングプーリ
２９  タイミングベルト
３０  商品搬送手段
４０  サブラベラー
ＬＧ  液体商品
Ｂ  瓶容器
ＭＬ  メインラベル
ＳＬ  サブラベル
ＭＭ  メインラベル形成基材
ＳＭ  サブラベル形成基材
【図１】
0004113364.tif 000002
【図２】
0004113364.tif 000003
【図３】
0004113364.tif 000004
【図４】
0004113364.tif 000005
【図５】
0004113364.tif 000006
【図６】
0004113364.tif 000007
【図７】
0004113364.tif 000008
【図８】
0004113364.tif 000009
【図９】
0004113364.tif 000010